(57)【要約】【課題】バキュームブレーカーが便器に近接して設けられたトイレ装置に取り付けることができる衛生洗浄装置及びこれを備えたトイレ装置を提供する。【解決手段】便器に接続された給水配管の途中にバキュームブレーカーが設けられたトイレ装置に付設される衛生洗浄装置であって、給水機能部が収容された本体部と、前記本体部に回動可能に軸支された便座と、を備え、前記本体部の底面には、前記バキュームブレーカーの少なくとも一部を、前記本体部の内部空間と隔離した状態で格納する収納凹部が設けられたことを特徴とする衛生洗浄装置を提供する。【選択図】図３
2008285837.tif 000002
【特許請求の範囲】
【請求項１】
便器に接続された給水配管の途中にバキュームブレーカーが設けられたトイレ装置に付設される衛生洗浄装置であって、
給水機能部が収容された本体部と、
前記本体部に回動可能に軸支された便座と、
を備え、
前記本体部の底面には、前記バキュームブレーカーの少なくとも一部を、前記本体部の内部空間と隔離した状態で格納する収納凹部が設けられたことを特徴とする衛生洗浄装置。
【請求項２】
前記本体部の前側中央から前記収納凹部の前方にかけて、先端に吐水穴を有する吐水ノズルを傾斜させたノズルユニットが設けられたことを特徴とする請求項１記載の衛生洗浄装置。
【請求項３】
前記本体部の前側中央から前記収納凹部よりも上方にかけて、先端に吐水穴を有する吐水ノズルを傾斜させたノズルユニットが設けられたことを特徴とする請求項１記載の衛生洗浄装置。
【請求項４】
前記本体部の前側中央から前記収納凹部の前方にかけて、進出状態の全長よりも収納状態の全長が短い吐水ノズルを有するノズルユニットが設けられたことを特徴とする請求項１記載の衛生洗浄装置。
【請求項５】
前記本体部の前側中央から前記収納凹部の側方にかけて、先端に吐水穴を有する吐水ノズルを傾斜させたノズルユニットが設けられたことを特徴とする請求項１記載の衛生洗浄装置。
【請求項６】
前記便座は、前記給水機能部から水が供給される吐水ノズルを有することを特徴とする請求項１記載の衛生洗浄装置。
【請求項７】
前記ノズルユニットの下部は、前記本体部の底面に固定され、
前記ノズルユニットの後部は、前記収納凹部を形成する前記本体部の壁に固定されたことを特徴とする請求項２〜５のいずれか１つに記載の衛生洗浄装置。
【請求項８】
便器と、
前記便器に接続された給水配管と、
前記給水配管の途中に設けられたバキュームブレーカーと、
前記便器の上方に設けられた請求項１〜７のいずれか１つに記載の衛生洗浄装置と、
を備え、
前記バキュームブレーカーの少なくとも一部が前記収納凹部に格納されたことを特徴とするトイレ装置。
【発明の詳細な説明】
【技術分野】
【０００１】
本発明は、衛生洗浄装置及びトイレ装置に関し、より具体的には、腰掛便器に座った使用者の「おしり」などを水で洗浄する衛生洗浄装置及びこれを備えたトイレ装置に関する。
【背景技術】
【０００２】
衛生洗浄装置は、洗浄水を噴射する吐水ノズルを進退自在に収容し、腰掛便器に付設して、便座に座った使用者の「おしり」などを洗浄することができる。一方、腰掛便器を備えたトイレ装置のうちで、給水配管の途中にバキュームブレーカーが設けられた構造のものがある。例えば、いわゆる「真空式」のトイレ装置の場合、便器内の水や排泄物を真空管路に吸い出して排出する。そして、このトイレ装置の給水配管の途中にはバキュームブレーカーが設けられ、便器の上端よりも上方に突出して設置されている（例えば、特許文献１）。また、真空式のトイレ装置の他にも、水道などから供給される水をロータンクに溜めずに便器に流す形式の水洗式のトイレ装置の多くは、便器の上面よりも上方に突出したバキュームブレーカーを備える（例えば、特許文献２）。
【特許文献１】特開２００１−３５５２６６号公報
【特許文献２】特開２００３−２６８８３９号公報
【発明の開示】
【発明が解決しようとする課題】
【０００３】
しかし、これらのトイレ装置に衛生洗浄装置を取り付けようとする場合、バキュームブレーカーがじゃまになることがある。特に、バキュームブレーカーが便器のボウルに近接して設けられている場合には、衛生洗浄装置がバキュームブレーカーと干渉してしまい、衛生洗浄装置を取り付けることができない。例えば、航空機や列車などのように狭いラバトリー空間に設置されるトイレ装置の場合には、この傾向は特に顕著となる。
【０００４】
本発明は、かかる観点からなされたものであり、バキュームブレーカーが便器のボウルに近接して設けられたトイレ装置に取り付けることができる衛生洗浄装置及びこれを備えたトイレ装置を提供するものである。
【課題を解決するための手段】
【０００５】
本発明の一態様によれば、便器に接続された給水配管の途中にバキュームブレーカーが設けられたトイレ装置に付設される衛生洗浄装置であって、給水機能部が収容された本体部と、前記本体部に回動可能に軸支された便座と、を備え、前記本体部の底面には、前記バキュームブレーカーの少なくとも一部を、前記本体部の内部空間と隔離した状態で格納する収納凹部が設けられたことを特徴とする衛生洗浄装置が提供される。
【０００６】
また、本発明の他の一態様によれば、便器と、前記便器に接続された給水配管と、前記給水配管の途中に設けられたバキュームブレーカーと、前記便器の上方に設けられた上記の衛生洗浄装置と、を備え、前記バキュームブレーカーの少なくとも一部が前記収納凹部に格納されたことを特徴とするトイレ装置が提供される。
【発明の効果】
【０００７】
本発明によれば、バキュームブレーカーが便器のボウルに近接して設けられたトイレ装置に取り付けることができる衛生洗浄装置及びこれを備えたトイレ装置を提供できる。
【発明を実施するための最良の形態】
【０００８】
以下、図面を参照しつつ本発明の実施の形態について説明する。  
図１は、本発明の実施の形態にかかるトイレ装置の模式斜視図である。  
また、図２は、このトイレ装置から衛生洗浄装置を取り外した状態を表す模式斜視図である。  
また、図３は、本実施形態の衛生洗浄装置を斜め後方から眺めた模式図である。なお、図２以降の各図については、既出の図面に表された要素と同様の要素には同一の符号を付して詳細な説明は適宜省略する。
【０００９】
図１〜図３に例示したトイレ装置は、例えば航空機などに設けられるトイレ装置である。隠蔽パネル５００の開口には、便器６００のボウルが露出している。そして、その上部後方に衛生洗浄装置１００が取り付けられている。衛生洗浄装置１００は、本体部２００と、この本体部２００に回動可能にそれぞれ軸支された便座１１０及び便蓋１２０と、を有する。本体部２００には、吐水ノズル２６２が便器６００のボウルに進出可能に設けられている。吐水ノズル２６２はその先端から水を噴射し、便座１１０に座った使用者の「おしり」などを洗浄する。なお、本願明細書において「水」という時は、冷水のみならず温水も含むものとする。
【００１０】
図２に表したように、便器６００の後方には、バキュームブレーカー６１０が隠蔽パネル５００から上方に突出して設けられている。そして、図３に表したように、本実施形態の衛生洗浄装置１００の本体部２００の底面２０２の後方には、バキュームブレーカー６１０の少なくとも一部が格納される収納凹部２１２が設けられている。
【００１１】
ここで、隠蔽パネル５００と便器６００の構造についてより詳細に説明する。  
図４は、隠蔽パネル５００を表す斜視図である。隠蔽パネル５００は、板状の成型体であり、便器のボウル面が露出する開口５１０と、バキュームブレーカーが突出する開口５２０が形成されている。
【００１２】
図５は、隠蔽パネル５００と便器６００とを分離した状態を表す斜視図である。  
また、図６は、隠蔽パネル５００を便器６００に取り付けた状態を表す斜視図である。  図５に表したように、真空式の便器６００の後方には、給水配管６２０が接続され、その途中にバキュームブレーカー６１０が設けられている。バキュームブレーカー６１０は、その上端が便器６００の上面よりも高い位置となるように上方に突出している。  
隠蔽パネル５００により便器６００を被覆した状態において、図６に表したように、開口５２０からバキュームブレーカー６１０が突出している。
【００１３】
図７は、衛生洗浄装置１００を取り付ける状態を例示する模式図である。  
隠蔽パネル５００から突出したバキュームブレーカー６１０は、衛生洗浄装置１００を取り付けた状態においては、衛生洗浄装置１００の底面に設けられた収納凹部２１２の中に格納され、衛生洗浄装置１００と干渉することはない。このように、衛生洗浄装置１００の底面に収納凹部２１２を設けることにより、バキュームブレーカー６１０と干渉することなく衛生洗浄装置１００を取り付けることが可能となる。
【００１４】
また、図３や図７などに例示した具体例においては、収納凹部２１２は、本体部２００の底面２０２とともに背面２０４にも露出するように設けられている。このようにすると、衛生洗浄装置１００をトイレ装置に取り付ける際にも、またはトイレ装置から取り外す際にも、バキュームブレーカー６１０を跨ぐように衛生洗浄装置１００を動かす必要はなく、衛生洗浄装置１００を単に前後にスライドさせるだけでよいので作業がしやすい。従って、例えば、バキュームブレーカー６１０を点検するような場合でも、衛生洗浄装置１００を手前に引き出すだけでバキュームブレーカー６１０を露出させることができ便利である。
【００１５】
図８は、衛生洗浄装置１００の本体部２００のケースプレート２１０の斜視図である。  すなわち、衛生洗浄装置１００の本体部２００は、ケースプレート２１０とケースカバー２９０（図３参照）とにより構成されている。ケースプレート２１０は、その後方に、本体部２００の内部に向けて突出して設けられた壁２２２、２２４、２２６を有する。これら壁２２２、２２４、２２６により、本体部２００の底面に収納凹部２１２が形成されている。また、これら壁２２２、２２４、２２６により、本体部２００の内部空間と収納凹部２１２とが隔離されている。
【００１６】
これらの壁のうち、正面の壁２２２と左右の壁２２４は、収納凹部２１２の側から本体部２００の内部への水や雰囲気の侵入を抑止する。また同時に、これら正面の壁２２２と左右の壁２２４は、本体部２００の側から収納凹部２１２の側への水や雰囲気の侵入も抑止する。  
また、上面の壁２２６は、収納凹部２１２の側から本体部２００の内部への水や雰囲気の侵入を抑止する。
【００１７】
つまり、これら壁２２２、２２４、２２６を設けて本体部２００の内部空間と収納凹部２１２とを隔離することにより、例えばバキュームブレーカー６１０から漏水したような場合でも本体部２００の中に水が侵入することを防止し、またこれとは逆に、本体部２００の中で万が一漏水した場合でも、その水がバキュームブレーカー６１０の周囲など便器６００の外側に漏れ出ることを防止できる。
【００１８】
なお、正面の壁２２２には、穴２２３が設けられている。後に詳述するように、この穴２２３は、ノズルユニットを固定するために用いられ、パッキンなどにより液密に塞がれる。
【００１９】
図９は、本体部２００の内部に収容される要素を例示した模式図である。  
本体部２００の内部には、コントローラ２３０、貯湯タンク２４０、バルブユニット２５０、ノズルユニット２６０などが設けられる。コントローラ２３０、貯湯タンク２４０、バルブユニット２５０などは、ノズルユニット２６０に水を供給する給水機能部である。ここで、コントローラ２３０と貯湯タンク２４０は、収納凹部２１２を挟んで両側に配置されている。そして、ノズルユニット２６０は、収納凹部２１２の正面から上方にかけて設けられている。ここで、コントローラ２３０と貯湯タンク２４０との間には、図示しない電気配線が接続される場合がある。この場合、収納凹部２１２の上面の壁２２６に配線留め具を取り付け、この配線留め具によりコントローラ２３０と貯湯タンク２４０との間の電気配線を固定すると、振動で電気配線がふらついたり、吐水ノズル２６２と干渉することを確実且つ容易に防止できる。
【００２０】
図１０は、本体部２００の断面図である。  
上方に突出したバキュームブレーカー６１０は、収納凹部２１２に格納されている。そして、その前方に設けられた壁２２２に隣接してノズルユニット２６０が設けられている。ノズルユニット２６０は、取付台２６４と、この取付台２６４にスライド可能に支持された傾斜姿勢の吐水ノズル２６２と、を有する。ノズルユニット２６０の後部上端は、収納凹部２１２を形成する上面の壁２２６よりも上に位置する。つまり、ノズルユニット２６０の後端を上方に設けることで、ノズルユニット２６０と収納凹部２１２との干渉を防ぐことができる。
【００２１】
図１１は、取付台２６４を上方から眺めた模式図である。  
取付台２６４は、その下方において左右に設けられた一対の取付穴２６５を有する。取付台２６４は、これら一対の取付穴２６５を介してケースプレート２１０にネジなどにより固定される。一対の取付穴２６５で固定することにより、取付台２６４をケースプレート２１０に対してより確実に固定することが可能となる。
【００２２】
またさらに、本実施形態においては、取付台２６４は、ケースプレート２１０の壁２２２に対しても固定されている。  
図１２（ａ）は、取付台２６４の固定部を拡大した模式図であり、図１２（ｂ）はその一部拡大断面図である。  
取付台２６４は、その上部に、後方に向けて突出する突起２６６を有する。そして、この突起２６６は、パッキン２７０を介して壁２２２に設けられた穴２２３に挿入され、固定されている。パッキン２７０は、ゴムや発泡材などの弾性体からなる。このパッキン２７０を潰した状態で突起２６６と穴２２３との間に介在させることにより、これらの隙間を充填して挿入部を機械的に強固に且つ液密に支持することができる。
【００２３】
本実施形態によれば、取付台２６４を一対の取付穴２６５においてケースプレート２１０に固定すると同時に、その後方においても突起２６６を穴２２３に固定することで、ノズルユニット２６０を機械的に強固に固定することができる。図１０から分かるように、本実施形態においては、バキュームブレーカー６１０を格納するために、ケースプレート２１０の底面に収納凹部２１２を設けている。このため、ノズル２６２の傾斜角度が大きくなる。つまり、収納凹部２１２が設けられていない場合と比較して、収納凹部２１２を設けた場合は、ノズル２６２の後方（バキュームブレーカー６１０に近い側）の高さをより高くする必要がある。その結果として、ノズルユニット２６０の高さがより高くなり、重心の位置も高くなる。
【００２４】
しかし、ノズルユニット２６０の重心が高くなると、ケースプレート２１０からみて上方がふらつきやすくなる。つまり、取付台２６４をケースプレート２１０のみに固定した場合には、取付台２６４の上方は左右または前後にふらつきやすくなる。ノズルユニットがふらつくと、吐水の方向がぶれて洗浄効果が低減するばかりか、ノズルユニット２６０に接続された配線や配管が外れたり、ノズルユニット２６０の周囲に設けられた配線や配管と干渉したり、また、取付台の取付部に機械的な応力が集中して破損などが生ずることもあり得る。特に、航空機や列車などの場合には、通常の建物と比較して揺れや振動が大きいために、ノズルユニット２６０の重心が高くなったことによるふらつきも増幅されやすい。
【００２５】
これに対して、本実施形態によれば、取付台の上部後方に突起２６６を設け、壁２２２に設けた穴２２３にパッキン２７０を介して挿入固定することにより、ノズルユニット２６０の上方のふらつきを大幅に低減することができる。その結果として、航空機や列車などの揺れや振動が大きい環境に設置した場合でも、吐水方向のぶれや、取付部の破損などを抑制し、安定して動作し信頼性にも優れた衛生洗浄装置を提供できる。
【００２６】
なお、図１２においては、突起２６６をパッキン２７０を介して穴２２３に挿入固定する具体例を表したが本発明はこれには限定されない。その他にも、例えば、取付台２６４の一部を壁２２２にネジ止めしたり、その他の手段で固定することによっても同様の作用効果が得られ、これら各種の変型例も本発明の範囲に包含される。
【００２７】
図１３は、本実施形態の変型例の衛生洗浄装置の内部構造を表す模式図である。  
本変型例においては、多段式の吐水ノズル２６８が吐水穴の側を下位とした傾斜姿勢とされて設けられている。すなわち、吐水ノズル２６８は、２段以上の可動部を有し、進出状態のノズルの全長は、収納状態のノズルの全長よりも長い。  
図１４は、多段式の吐水ノズルの一例を表す模式図である。すなわち、図１４は、３段式の吐水ノズルを表し、図１４（ａ）は収納した状態、図１４（ｂ）は進出した状態を表す。
【００２８】
本具体例の場合、吐水ノズル２６８は、第１の筒体２６８Ａと、これに対してスライド可能に支持された第２の筒体２６８Ｂと、これに対してスライド可能に支持された第３の筒体２６８Ｃと、これに対してスライド可能に支持された第４の筒体２６８Ｄと、を有する。第４の筒体２６８Ｄの先端付近には吐水穴２６１が設けられている。また、取付台２６４の先端には、ノズル洗浄室２６９が設けられ、吐水ノズル２６８の周囲などを洗浄可能とされている。
【００２９】
このような多段式の吐水ノズルを設けることにより、収納状態（図１３及び図１４（ａ）に表した状態）における全長を進出状態（図１４（ｂ）に表した状態）よりも短くできる。その結果として、収納凹部２１２と干渉することなく本体部２００に内蔵させることができる。つまり、収納凹部２１２を設けた場合でも、その上方まで延在せず、収納凹部２１２の前方のみにコンパクトに収納できるノズルユニット２６０を実現できる。  
なお、図１４においては３段式の吐水ノズルを例示したが、本発明はこれには限定されず、多段式の吐水ノズルとしては、可動部が２段式以上のものを適宜用いることができる。
【００３０】
図１５は、本実施形態の他の変型例の衛生洗浄装置の内部構造を表す模式図である。  
本変型例においては、本体部２００の中に２本の吐水ノズル２６２Ａ、２６２Ｂが吐水穴の側を下位とした傾斜姿勢とされて設けられている。これら吐水ノズル２６２Ａ、２６２Ｂは、前方がケースプレート２１０の中心に接近し、後方は、収納凹部２１２を構成する側方の壁２２４、２２４の左右に分かれるように配置されている。つまり、上方から眺めたときに、これら吐水ノズル２６２Ａ、２６２Ｂは、後方が収納凹部２１２をその左右に逃げるように傾斜して配置されている。このようにすれば、図１０に関して前述したように、吐水ノズルの後端を収納凹部２１２の上面の壁２２６の上方に延在させる必要がなくなる。
【００３１】
つまり、吐水ノズルの後端を収納凹部２１２の上方に延在させる代わりに、収納凹部２１２の側方に延在させることにより、本体部２００の中にコンパクトに収納することが可能となる。なお、図１５においては、２本の吐水ノズル２６２Ａ、２６２Ｂが設けられた具体例を表したが、本発明はこれには限定されず、これら吐水ノズルのいずれかのみを設けてもよい。吐水ノズルを２本設けた場合には、例えば、いずれか一方を「おしり」洗浄に用い、いずれか他方を「ビデ」洗浄に用いることができる。
【００３２】
図１６は、本実施形態のさらに他の変型例の衛生洗浄装置の内部構造を表す模式図である。  
本変型例においては、吐水ノズル２６２は本体部２００の中には設けられておらず、その代わりに便座１１０の先端付近に設けられている。本体部２００には、貯湯タンク２４０や給水機構２５０などが設けられ、配管（図示せず）を介して吐水ノズル２６２に水が供給される。
【００３３】
このようにすれば、本体部２００に設けた収納凹部２１２と吐水ノズル２６２とが干渉することはない。従って、収納凹部２１２を設け、しかも本体部２００をコンパクトにしつつ、便座１１０の先端から吐水ノズル２６２により吐水させて使用者の「おしり」などを洗浄することができる。
【００３４】
以上、具体例を参照しつつ、本発明の実施の形態について説明した。しかし、本発明は、これらの具体例に限定されるものではない。例えば、図１乃至図１６に関して前述した各具体例が有する特徴は、技術的に可能な範囲において適宜組み合わせることができ、これらも本発明の範囲に包含される。  
また、衛生洗浄装置の構造や、その動作の内容についても、図１乃至図１６に関して前述したものには限定されず、当業者が適宜設計変更することにより本発明を同様に実施し、同様の効果を得ることができるものも本発明の要旨を含む限り、本発明の範囲に包含される。例えば、吐水ノズルは、モータなどの動力により進退するものであってもよく、または水圧により進退するものであってもよい。  
また、本発明は真空式のトイレ装置には限定されず、各種の構造の水洗式のトイレ装置に同様に適用して同様の作用効果が得られる。
【００３５】
また、図８などには、ケースプレート２１０に収納凹部２１２が形成された具体例を表したが、本発明はこれには限定されず、収納凹部２１２を形成するための壁（例えば、壁２２２、２２４、２２６など）の少なくとも一部をケースカバー２９０の側に設けてもよい。つまり、ケースプレート２１０とケースカバー２９０とを組み合わせることにより、収納凹部２１２が完成する構造としてもよい。またさらに、収納凹部２１２を形成するための壁（例えば、壁２２２、２２４、２２６など）が設けられた部材を別体として設け、ケースプレート２１０とケースカバー２９０とこの別体の部材とを組み合わせることにより、収納凹部２１２が形成されるようにしてもよい。
【００３６】
また、図１０になどにおいては、バキュームブレーカー６１０の突出部のほぼ全体が収納凹部２１２に格納された具体例を表したが、本発明はこれには限定されず、バキュームブレーカー６１０の突出部の少なくとも一部が収納凹部２１２に格納されればよい。
【００３７】
また、吐水ノズルの形態は、直線状には限定されない。例えば上方あるいは左右いずれかに湾曲しまたは反った形状の吐水ノズルを設けることにより、収納凹部２１２との干渉を防止して本体部２００の中にコンパクトの収納することが可能となる。
【００３８】
また、図３、図７〜図１２などにおいては、収納凹部２１２が衛生洗浄装置１００の本体部２００の背面２０４にも露出している具体例を表したが、本発明はこれには限定されない。すなわち、収納凹部２１２は、本体部２００の底面２０２に設けられていればよい。
【図面の簡単な説明】
【００３９】
【図１】本発明の実施の形態にかかるトイレ装置の模式斜視図である。
【図２】本実施形態のトイレ装置から衛生洗浄装置を取り外した状態を表す模式斜視図である。
【図３】本実施形態の衛生洗浄装置を斜め後方から眺めた模式図である。
【図４】隠蔽パネル５００を表す斜視図である。
【図５】隠蔽パネル５００と便器６００とを分離した状態を表す斜視図である。
【図６】隠蔽パネル５００を便器６００に取り付けた状態を表す斜視図である。
【図７】衛生洗浄装置１００を取り付ける状態を例示する模式図である。
【図８】衛生洗浄装置１００の本体部２００のケースプレート２１０の斜視図である。
【図９】本体部２００の内部に収容される要素を例示した模式図である。
【図１０】本体部２００の断面図である。
【図１１】取付台２６４を上方から眺めた模式図である。
【図１２】取付台２６４の固定部を拡大した断面図である。
【図１３】本実施形態の変型例の衛生洗浄装置の内部構造を表す模式図である。
【図１４】多段式の吐水ノズルの一例を表す模式図である。
【図１５】本実施形態の他の変型例の衛生洗浄装置の内部構造を表す模式図である。
【図１６】本実施形態のさらに他の変型例の衛生洗浄装置の内部構造を表す模式図である。
【符号の説明】
【００４０】
１００ 衛生洗浄装置、１１０  便座、１２０  便蓋、２００ 本体部、２０２ 底面、２０４ 背面、２１０ ケースプレート、２１２ 収納凹部、２２２ 壁、２２３ 穴、２２４ 壁、２２６ 壁、２３０ コントローラ、２４０ 貯湯タンク、２５０ 給水機構、２６０ ノズルユニット、２６１ 吐水穴、２６２ ノズル、２６２ 吐水ノズル、２６２Ａ、２６２Ｂ 吐水ノズル、２６４ 取付台、２６５ 取付穴、２６６ 突起、２６８ 吐水ノズル、２６８Ａ 筒体、２６８Ｂ 筒体、２６８Ｃ 筒体、２６８Ｄ 筒体、２６９ ノズル洗浄室、２７０ パッキン、２９０ ケースカバー５００ 隠蔽パネル、５１０ 開口、５２０ 開口、６００ 便器、６１０ バキュームブレーカー、６２０ 給水配管
【図１】
2008285837.tif 000003
【図２】
2008285837.tif 000004
【図３】
2008285837.tif 000005
【図４】
2008285837.tif 000006
【図５】
2008285837.tif 000007
【図６】
2008285837.tif 000008
【図７】
2008285837.tif 000009
【図８】
2008285837.tif 000010
【図９】
2008285837.tif 000011
【図１０】
2008285837.tif 000012
【図１１】
2008285837.tif 000013
【図１２】
2008285837.tif 000014
【図１３】
2008285837.tif 000015
【図１４】
2008285837.tif 000016
【図１５】
2008285837.tif 000017
【図１６】
2008285837.tif 000018